(57)【要約】【課題】血圧測定時に水銀柱の水銀管内を下降する水銀柱の目盛りの読み取りを正確且つ迅速にする水銀柱血圧計を提供する。【解決手段】血圧測定用の水銀柱９１を収納する本体部９０と、前記本体部９０内において所定量の水銀を蓄え、前記水銀柱９１との間で水銀が連通する水銀タンク９２と、被診断者に巻き付けられた腕帯９４を介して前記水銀タンク９２内を加圧する加圧手段９５、９６と、前記水銀タンク９２内の圧力を前記水銀柱内の水銀の高さで表示する水銀柱９１と、を有し、前記水銀柱９１の上端部には、前記水銀柱９１内において形成されるドーム形状の水銀の頂部を照射する照明手段８を備える。【選択図】図１
2007307064.tif 000002
【特許請求の範囲】
【請求項１】
血圧測定用の水銀柱を収納する本体部と、
前記本体部内において所定量の水銀を蓄え、前記水銀柱との間で水銀が連通する水銀タンクと、
被診断者に巻き付けられた腕帯を介して前記水銀タンク内を加圧する加圧手段と、
前記水銀タンク内の圧力を前記水銀柱内の水銀の高さで表示する水銀柱と、
を有し、
前記水銀柱の上端部には、前記水銀柱内において形成されるドーム形状の水銀の頂部を照射する照明手段が設置されたことを特徴とする水銀柱血圧計。
【請求項２】
前記水銀柱の圧力目盛りとして蛍光塗料が塗布されていることを特徴とする請求項１に記載の水銀柱血圧計。
【請求項３】
前記照明手段は、ＬＥＤであることを特徴とする請求項１又は２に記載の水銀柱血圧計。
【請求項４】
前記水銀柱の内管の径は、２ｍｍ以下であることを特徴とする請求項３に記載の水銀柱血圧計。
【請求項５】
前記加圧手段は、スイッチ操作により起動される電動空気ポンプであることを特徴とする請求項３に記載の水銀柱血圧計。
【請求項６】
前記加圧手段は、手動により前記水銀タンク内を加圧する送気球であることを特徴とする請求項３に記載の水銀柱血圧計。
【請求項７】
前記本体部には、前記ＬＥＤに電流を流すための電池が収納されることを特徴とする請求項６に記載の水銀柱血圧計。
【発明の詳細な説明】
【技術分野】
【０００１】
本発明は、水銀柱血圧計に係り、特に、水銀柱を本体部に収納して携帯される水銀柱血圧計において、血圧測定時に下降する水銀柱の目盛りの読み取りを容易にする水銀柱血圧計に関する。
【背景技術】
【０００２】
水銀柱血圧計に用いられている水銀は、常温において液体の金属であって温度変化に対して比重変動が小さいことから、従来から人体の血圧を最も正確に測定可能な血圧計の測定媒体として広く使用されてきている。
【０００３】
図６は、水銀柱血圧計の原理的な構成を示す説明図である。図６に示すように、一般的な水銀柱血圧計は、水銀柱として使用されその上端が開放されたガラス管７１と、このガラス管７１と水銀が連通するようにした水銀溜りを有する水銀タンク９２と、水銀タンク９２の内部に注入された一定量の水銀８３と、水銀タンク９２内に空気圧を加える加圧手段（図７の９５）から空気を供給する送気管７２と、を備える。
【０００４】
ここで、送気管７２内に加えられる空気圧には、被診断者の例えば上腕部の脈動に起因する圧力が付加される。また、送気管７２を介して、水銀タンク９２内に空気圧（空気圧）を送り込むと、ガラス管７１内に水銀８３が上昇する。この上昇値は、前記空気圧に比例する。ガラス管７１の外部には、ガラス管７１に沿って、水銀８３の上面が何ミリメートル上昇したかを示す目盛り（単位：ｍｍＨｇ）が刻まれている。ここで、前記の上昇値として、予想される血圧よりも高い圧力を掛けた後、この空気圧を開放すると、ガラス管７１内の水銀８３は、水銀タンク９２内の圧力の低下に伴って徐々に下降する。そこで、別途に用意された聴診器により、例えば、被診断者の脈音（コロトコフ音）を聴取し、最初に前記脈音が聞こえた時のガラス管７１内の水銀８３の上昇位を最高血圧値とし、前記脈音が消失した時のガラス管７１内の水銀８３の上昇位を最低血圧値としている。
【０００５】
図７は、従来の水銀柱血圧計３０の一般的な構成を示す説明図である。図７に示すように、従来の一般的な水銀柱血圧計３０は、後述する水銀柱９１を収納して保護する本体部９０と、圧力目盛り付きの水銀柱９１と、水銀柱９１と連結され、水銀を溜めた水銀タンク９２と、水銀タンク９２に空気を送り込むチューブ９３と、チューブ９３と連結され、被診断者の上腕部に巻き付ける腕帯９４と、腕帯９４と連結され、腕帯９４内に空気を送り込む送気球９５と、を備える。
【０００６】
従来の一般的な水銀柱血圧計３０は、被診断者の脈音（コロトコフ音）を聴取する聴診器（図示せず）と共に使用される。また、携帯時や非測定時に、水銀タンク９２内に収納された水銀が水銀柱９１内に侵入することを防止するためのコック（図示は省略）を備える。
【０００７】
以下、図７に示す従来の水銀柱血圧計３０の原理と使用法を説明する。
水銀柱９１内の水銀上端が圧力目盛りの零点（〔０ｍｍＨｇ〕の位置）付近に下降していることを確認した後、送気球９５を手操作で圧縮／開放を繰り返すことにより、送気球内に設けられた空気弁の弁作用によりチューブ９３を介して水銀タンク９２内に空気圧（空気圧）を送り込む。これにより、水銀タンク９２内の圧力が増加して水銀柱内において水銀が押し上げられて上昇する。
【０００８】
水銀柱９１の側部には、水銀柱９１に沿って、前記水銀が何ミリメートル上昇したかを示す目盛り（即ち、〔ｍｍＨｇ〕）が刻まれている。ここで、送気球９５を手操作で圧縮／開放を繰り返す前記操作により、前記の上昇値として、予想される血圧値よりも高い空気圧を加圧した後に、送気球９５内の空気を徐々に大気中に開放すると、水銀柱９１内の前記水銀は下降する。そこで、腕帯９４に聴音部が接続された聴診器（図示は省略）を用いて前述の脈音を聴取し、最初に前記脈音が聞こえた時の水銀柱９１内の水銀上面を最高血圧値とし、前記脈音が消失した時の水銀柱９１内の水銀上面を最低血圧値とする。
【発明の開示】
【発明が解決しようとする課題】
【０００９】
しかし、このような従来の水銀柱血圧計においては、水銀がくすんだ地味な鉛色であることから水銀柱内の水銀の上端部を視認し難く、水銀柱の目盛りの読み取りが困難であった。特に、被診断者の精神状態を落ち着かせ安静時の血圧値を測定するために診察室の照明を暗くしている場合は、水銀のくすんだ地味な色と水銀柱の背景色との区別が困難であり、目盛りの読み取りが難しかった。
【００１０】
このため、従来の水銀柱血圧計においては、水銀柱内の水銀の上端部を少しでも見易くするために水銀柱内の管径を太くする必要があった。しかし水銀柱内の管径を太くすると、多くの水銀量を必要とするばかりか水銀柱内の管径が太いことから、従来の水銀柱血圧計においては、水銀管の中を昇降する水銀の動きが被診断者の脈動に対して緩慢となることから正確で迅速な血圧測定の妨げの原因となっていたのである。
【００１１】
このため、本発明は、血圧測定時に水銀柱の水銀管内を下降する水銀柱の目盛りの読み取りを容易にする水銀柱血圧計を提供すること目的とする。
【００１２】
また、本発明は、水銀柱血圧計の水銀管の径をなるべく細くすることにより、使用する水銀量を低減化させると共に、血圧測定時に水銀管の中を下降する水銀の動きを被診断者の脈動に応じて敏感に反応させることにより、正確で迅速な血圧測定を可能とすることを目的とするものである。
【課題を解決するための手段】
【００１３】
このため、本発明は、血圧測定用の水銀柱を収納する本体部と、前記本体部内において所定量の水銀を蓄え、前記水銀柱との間で水銀が連通する水銀タンクと、被診断者に巻き付けられた腕帯を介して前記水銀タンク内を加圧する加圧手段と、前記水銀タンク内の圧力を前記水銀柱内の水銀の高さで表示する水銀柱と、を有し、前記水銀柱の上端部には、前記水銀柱内において形成されるドーム形状の水銀の頂部を照射する照明手段が設置されたことを特徴とする水銀柱血圧計を提供するものである。
【００１４】
ここで、水銀は、その表面張力が水やアルコールと比較して極めて大きいことから、その上端面が急峻なドーム形状を形成するので、水銀柱の上方から照射される光を水銀柱内の水銀の頂面が水銀柱の側面側横方向に反射するので、水銀柱の水銀管の径が小さくとも、水銀の上端面を視認することができるのである。
【００１５】
また、本発明に係る水銀柱血圧計は、水銀頂面の視認性の向上から水銀柱血圧計の水銀管の径を例えば２ミリメートル以下にすることができるので、使用する水銀量を低減化させると共に、血圧測定時に水銀管の中を下降する水銀の動きを被診断者の脈動に応じて敏感に反応させることにより、例えば血圧が高く脈動が大きい被診断者の血圧を測定する場合には、聴診器を使用することなく正確で迅速な血圧測定を可能としたのである。
【００１６】
さらに、前記水銀柱の圧力目盛りとして蛍光塗料が塗布されていることにより、水銀柱内の水銀の上端面に反射した光が、さらに水銀柱目盛りを照射し、当該目盛り自体が発光するので、水銀の頂面及び目盛りを同時に視認することができるのである。
【００１７】
ここで、前記照明手段は、数ミリアンペアで充分な光量を発生するＬＥＤを使用する。また、前記加圧手段は、使用する水銀の量を少なくすることができるので例えば電源を電池として、スイッチ操作により起動される電動空気ポンプを用いることができる。但し、本水銀柱血圧計の加圧手段として、手動により前記水銀タンク内を加圧する送気球の利用を妨げるものではない。そして、前記本体部には、前記ＬＥＤに電流を流すための電池を収納する。
【発明の効果】
【００１８】
上記のように、本発明に係る水銀柱血圧計の水銀柱の上端部には、水銀柱内において形成されるドーム形状の水銀頂部を照射する照明手段が設置される。ここで、水銀はその上端面が急峻なドーム形状を形成するので、水銀柱の上方から照射される光を水銀柱内の水銀の上端面が水銀柱の側面側横方向に反射するので、水銀柱の水銀管の径が小さくとも、水銀の上端面（頂面）を極めて容易に視認することができたのである。
【００１９】
また、本発明に係る水銀柱血圧計は、水銀の上端面の視認性の向上から水銀柱血圧計の水銀管の径を細くできるので、使用する水銀量を低減化させると共に、血圧測定時に水銀管の中を下降する水銀の動きを被診断者の脈動に応じて敏感に反応させることにより、正確で迅速な血圧測定を可能としたのである。
【発明を実施するための最良の形態】
【００２０】
以下、図面を参照して、本発明の実施の形態について詳細に説明する。
図１は、本発明の第１の実施形態に係る水銀柱血圧計１０の全体構成を示す構成図である。図１に示すように、本実施形態に係る水銀柱血圧計１０は、後述する水銀柱９１を収納して保護する本体部９０と、空気圧目盛り付きの水銀柱９１と、水銀柱９１と連結され、水銀を溜めた水銀タンク９２と、水銀タンク９２に空気を送り込むチューブ９３と、チューブ９３と連結され、被診断者の例えば上腕に巻き付ける腕帯９４と、腕帯９４に連結された水銀タンク９２内に空気を送り込む送気球９５と、水銀柱９１を上部から照明するためのＬＥＤランプ部８と、を備える。
【００２１】
この他に、腕帯９４に聴音部を接続した聴診器（図示は省略）を使用する。また、携帯時や非測定時に、水銀タンク９２内に収納された水銀が水銀柱９１内に侵入することを防止するためのコック（図示は省略）を備える。また、ＬＥＤランプ部８の電源を備えることができる。電源は、ＡＣ電源でもよいがＬＥＤ８の消費電流が少ないこと及びＬＥＤ８の点灯時間が短いことから電池を使用するが可能である。電池を電源とする場合は、電池を収納するための電池ボックスを本体部９０の裏側等に設けることができる。この場合、ＬＥＤランプ部８のＬＥＤランプの点灯／消灯のためのスイッチ（図示は省略）を本体部９０に備えるものとする。
【００２２】
そして、水銀柱９１に刻まれた空気圧目盛りの各目盛りの刻み部分には、それぞれ蛍光塗料が塗布されているものとする。これにより、水銀柱内の水銀の上端面に反射した光が、さらに水銀柱目盛りを照射し、当該目盛り自体が発光するので、水銀の頂面及び目盛りを同時に良好に視認することができるのである。
【００２３】
また、水銀柱９１は、水銀頂面の視認性の向上から本水銀柱血圧計１０の水銀管の径を例えば２ミリメートル以下にすることができるので、使用する水銀量を低減化させると共に、血圧測定時に水銀管の中を下降する水銀の動きを被診断者の脈動に応じて敏感に反応させることにより、例えば血圧が高く脈動が大きい被診断者の血圧を測定する場合には、聴診器を使用することなく正確で迅速な血圧測定を可能としたのである。
【００２４】
本体部９０を構成する素材は、合成樹脂、金属（アルミダイカスト等）等が可能である。また、水銀タンク９２を構成する素材は、陶器、ガラス、金属、合成樹脂、等が可能である。そして、チューブ９３を構成する素材は、天然又は各種合成ゴム、合成樹脂等である。また、腕帯９４を構成する素材は、繊維（綿等）、合成樹脂（ナイロン等）、等が可能である。
【００２５】
以下、図１に示す第１の実施形態に係る本水銀柱血圧計１０の原理と使用法を説明する。
最初に、ＬＥＤランプ部８のＬＥＤランプの点灯／消灯のためのスイッチを操作してＬＥＤランプ部８のＬＥＤランプを点灯する。次に、水銀柱９１内の水銀先端が空気圧目盛りの零点（〔０ｍｍＨｇ〕の位置）近辺に下降していることを確認した後、送気球９５を手操作で圧縮／開放を繰り返すことにより、チューブ９３を介して、水銀タンク９２内に空気圧（空気圧）を送り込む。これにより、水銀タンク９２内の水銀が上昇する。この上昇値は、前記空気圧に比例する。水銀柱９１の外部には、水銀柱９１に沿って、前記水銀の上端面のレベルを読み取るための目盛り（単位：ｍｍＨｇ）が刻まれている。
【００２６】
ここで、送気球９５を手操作で圧縮／開放を繰り返す前記操作により、被診断者の予想される血圧よりも高い空気圧を掛けた後、送気球９５内の圧力を徐々に抜くことにより、水銀柱９１内の前記水銀は下降する。そこで、腕帯９４に聴音部が接続された聴診器（図示せず）を用いて被診断者の脈音を聴取し、最初に前記脈音が聞こえた時の水銀柱９１内の水銀の上端面（頂面）のレベルを最高血圧値とし、前記脈音が消失した時の水銀柱９１内の前記水銀の上端面を最低血圧値とする。
【００２７】
この場合、水銀柱９１の水銀管の径を例えば２ミリメートル以下にすれば、水銀管の中を下降する水銀の動きを被診断者の脈動に応じて敏感に反応して微妙に上下動するので、水銀の上端面が脈動を示し始めた水銀柱９１内の水銀の上端面（頂面）のレベルを最高血圧値とし、脈動が消失した時の水銀柱９１内の前記水銀の上端面を最低血圧値とする。これにより、例えば血圧が高く脈動が大きい被診断者の血圧を測定する場合には、聴診器を使用する必要がない。
【００２８】
また、前記水銀柱９１の圧力目盛りとして蛍光塗料が塗布されていることにより、水銀柱９１内の水銀の上端面に反射した光が、さらに水銀柱目盛りを照射し、当該目盛り自体が発光するので、水銀の頂面及び目盛りを同時に視認することができるのである。
【００２９】
ここで、図３において後述するように、水銀は、その表面張力が水やアルコールと比較して極めて大きいことから、その上端面が急峻なドーム形状を形成するので、水銀柱の上方から照射される光を水銀柱内の水銀の頂面が水銀柱の側面側横方向に反射するので、水銀柱の水銀管の径が小さくとも、水銀の上端面を視認することができるのである。尚、本水銀柱血圧計１０を使用しない時や携帯する場合には、水銀柱９１を本体部９０に収納する。
【００３０】
図２は、本発明の第１の実施形態に係る水銀柱血圧計のＬＥＤランプ部８の構成例を示すものであり、図２（ａ）は電流安定用の素子として抵抗素子を使用する構成例を示し、図２（ｂ）は定電流を得るための素子として定電流素子（半導体素子）を使用する構成例を示している。
【００３１】
図２（ａ）に示すＬＥＤランプ部８は、電源と接続される配線コード８１と、配線コード８１から電力を引き込むための配電部８２と、ＬＥＤランプ部８に直流電力を供給するための配線８３ａ，８３ｂと、配線８３ａに直列に接続された抵抗素子８４と、配線８３ａ，８３ｂによって直流電力が供給されるＬＥＤランプ素子８５と、ＬＥＤランプ素子８５を保護すると共に照明光の光束を下方（即ち水銀柱が存在する方向）に揃えて放射させるためのランプカバー８６と、ＬＥＤランプ素子８５を支持するための支柱８７と、を具備する。
【００３２】
抵抗素子８４は、ＬＥＤランプ素子８５に供給する直流電流の大きさを安定化するために設置することが好ましい。但し、ＬＥＤランプ素子８５自体が電流制御機能を有している場合は、抵抗素子８４を省略することができる。また、配線８３ａ，８３ｂの機械的強度が十分であることが保証される場合には、支柱８７を省略することができる。
【００３３】
図２（ｂ）に示すＬＥＤランプ部８は、電源と接続される配線コード８１と、配線コード８１から電力を引き込むための配電部８２と、ＬＥＤランプ部８に直流電力を供給するための配線８３ａ，８３ｂと、配線８３ａに直列に接続された定電流素子８８と、配線８３ａ，８３ｂによって直流電力が供給されるＬＥＤランプ素子８５と、ＬＥＤランプ素子８５を保護すると共に照明光の光束を下方（即ち水銀柱が存在する方向）に揃えて放射させるためのランプカバー８６と、ＬＥＤランプ素子８５を支持するための支柱８７と、を具備する。
【００３４】
定電流素子８８は、ＬＥＤランプ素子８５に供給する直流電流の大きさを一定にするために設置することが好ましい。この定電流素子８８は、定電流ダイオード又はＭＯＳトランジスタを使用して構成することができる。
【００３５】
図３は、本水銀柱血圧計１０の水銀上端面（頂部）のみが発光する原理を示す説明図である。水銀柱内９１の水銀は、その上端部が、この水銀自体の大きな表面張力により、ドーム形状を形成しており、このドーム形状の上端面が、上部より照射された照明光を水平方向に反射させる。この反射光は、３６０度の広がり角度を有しており、よって、その一部は、水銀柱の正面左右に刻まれた目盛り部の対向目盛りまで達することができて、この目盛りを蛍光発光させるのである。
【００３６】
これにより、水銀柱内の水銀の上端面に反射した光が、さらに水銀柱目盛りを照射し、当該目盛り自体が発光するので、水銀の頂面及び目盛りを同時に視認することができるのである。
【００３７】
図４は、本発明の第２の実施形態に係る水銀柱血圧計２０の全体構成を示す構成図である。図４に示すように、この第２の実施形態に係る水銀柱血圧計２０は、図１に示した第１の実施形態に係る水銀柱血圧計１０における送気球９５（図１）の替わりに電動で圧縮空気を供給する電動ポンプ９６を備えるものである。
【００３８】
すなわち、第２の実施形態に係る水銀柱血圧計２０は、水銀柱９１を収納する本体部９０と、空気圧目盛り付きの水銀柱９１と、水銀柱９１と連結され、水銀を溜めた水銀タンク９２と、被診断者の例えば上腕に巻き付ける腕帯９４と、腕帯９４に空気を送り込むチューブ９３と、腕帯９４と水銀タンク２内に空気を送り込むための電動ポンプ９６と、水銀柱を上部から照明するためのＬＥＤランプ部８と、電動ポンプ９６に電力を供給するための電源コード（図示せず）と、を備える。ここで、電動ポンプ９６を内蔵する電池（図示せず）によって駆動する構成にすれば、当然のことながら電源コードは不要である。この場合、内蔵する電池は、電動ポンプ９６に隣接して収納するとよい。
【００３９】
この他に、腕帯９４に聴音部を接続した聴診器（図示は省略）を使用する。また、携帯時や非測定時に、水銀タンク９２内に収納された水銀が水銀柱９１内に侵入することを防止するためのコック（図示は省略）を備える。さらに、ＬＥＤランプ部８のＬＥＤランプの点灯／消灯のためのスイッチ（図示は省略）を備える。
【００４０】
この第２の実施形態に係る水銀柱血圧計２０は、図１に示した第１の実施形態に係る水銀柱血圧計１０とは、送気球９５を電動ポンプ９６に替えただけであり、各構成部の動作説明の詳細は、省略する。
【００４１】
図５は、本実施形態に係る水銀柱血圧計の電動空気ポンプ６を操作する操作パネルの１構成例を示す説明図である。図５に示す操作パネル６１は、電動空気ポンプ６の電源を投入／切断する電源スイッチ６１１と、電動空気ポンプ６が作り出す空気流の方向を決定するための方向スイッチ６１２と、最終的に電源を投入または切断するための送気釦６１３と、を備える。ここで、送気釦６１３は、例えば、押し釦式のスイッチである。
【００４２】
電源スイッチ６１１と送気釦６１３とは電源回路に直列接続されていることから、両者が同時点で投入されている状態が存在しない限り、電動空気ポンプ６は作動しない。
【００４３】
以上詳しく説明したように、本発明に係る水銀柱血圧計１０、２０は、血圧測定用の水銀柱９１を収納する本体部９０と、前記本体部９０内において所定量の水銀を蓄え、前記水銀柱９１との間で水銀が連通する水銀タンク９２と、被診断者に巻き付けられた腕帯９４を介して前記水銀タンク９２内を加圧する加圧手段９５、９６と、前記水銀タンク９２内の圧力を前記水銀柱内の水銀の高さで表示する水銀柱９１と、を有し、前記水銀柱９１の上端部には、前記水銀柱９１内において形成されるドーム形状の水銀の頂部を照射する照明手段８が設置されたことを特徴とする水銀柱血圧計を提供するものである。
【００４４】
ここで、水銀は、その表面張力が水やアルコールと比較して極めて大きいことから、その上端面が急峻なドーム形状を形成するので、水銀柱９１の上方から照射される光を水銀柱９１内の水銀の頂面が水銀柱９１の側面側横方向に反射するので、水銀柱９１の水銀管の径が小さくとも、水銀の上端面を視認することができるのである。
【００４５】
また、本発明に係る水銀柱血圧計１０、２０は、水銀頂面の視認性の向上から水銀柱９１の水銀管の径を例えば２ミリメートル以下にすることができるので、使用する水銀量を低減化させると共に、血圧測定時に水銀管の中を下降する水銀の動きを被診断者の脈動に応じて敏感に反応させることにより、例えば血圧が高く脈動が大きい被診断者の血圧を測定する場合には、聴診器を使用することなく正確で迅速な血圧測定を可能としたのである。
【００４６】
さらに、水銀柱９１の目盛り９として蛍光塗料が塗布されていることにより、水銀柱内の水銀の上端面に反射した光が、さらに水銀柱目盛りを照射し、当該目盛り自体が発光するので、水銀の頂面及び目盛りを同時に視認することができるのである。
【産業上の利用可能性】
【００４７】
本発明は、水銀柱血圧計に係り、特に、水銀柱を本体部に収納して携帯される水銀柱血圧計において、血圧測定時に下降する水銀柱の目盛りの読み取りを容易にする水銀柱血圧計に関するものであり、産業上の利用可能性を有する。
【図面の簡単な説明】
【００４８】
【図１】本発明の第１の実施形態に係る水銀柱血圧計の全体構成を示す構成図である。
【図２】本発明の第１の実施形態に係る水銀柱血圧計のＬＥＤランプ部８の構成例を示す。
【図３】本水銀柱血圧計１０の水銀上端面（頂部）のみが発光する原理を示す説明図である。
【図４】本発明の第２の実施形態に係る水銀柱血圧計の全体構成を示す構成図である。
【図５】本実施形態に係る水銀柱血圧計の操作パネルの構成例を示す。
【図６】水銀柱血圧計の原理的な構成を示す説明図である。
【図７】従来の水銀柱血圧計の一般的な構成を示す説明図である。
【符号の説明】
【００４９】
１０：本水銀柱血圧計（第１の実施形態の例）
２０：本水銀柱血圧計（第２の実施形態の例）
９１：水銀柱
９２：水銀タンク
９３：チューブ
９４：腕帯
９６：電動ポンプ
６１：操作パネル
８２：配電部
８３ａ，８３ｂ：配線
８４：抵抗素子
８：照明手段
８５：ＬＥＤランプ素子
８６：ランプカバー
８７：支柱
８８：定電流素子
【図１】
2007307064.tif 000003
【図２】
2007307064.tif 000004
【図３】
2007307064.tif 000005
【図４】
2007307064.tif 000006
【図５】
2007307064.tif 000007
【図６】
2007307064.tif 000008
【図７】
2007307064.tif 000009